(57)【要約】  複数の通信動作モードを備えた移動端末が、移動端末の複数の通信動作モードの現在の通信動作モードを決定すること、移動端末に電力を供給する現在のバッテリの電圧を決定すること、現在の通信動作モードに関連したバッテリ電圧閾値と現在のバッテリの電圧とを比較すること、そして、現在の通信動作モードに関連したバッテリ電圧閾値と現在のバッテリの電圧との比較に基づいて複数の通信動作モードのうちの一つに現在の通信動作モードを変更すること、によって動作される。
2010529712.tif 000002
【特許請求の範囲】
【請求項１】
複数の通信動作モードを有する移動端末を動作させる方法であって、
前記複数の通信動作モードから現在の通信動作モードを決定する工程と、
前記移動端末に電力供給するバッテリの現在の電圧を決定する工程と、
バッテリの前記現在の電圧と、前記現在の通信動作モードに関連したバッテリ電圧閾値とを比較する工程と、
前記バッテリの現在の電圧と、前記現在の通信動作モードに関連した前記バッテリ電圧閾値との比較に基づいて、前記複数の通信動作モードのその他の一つに、前記現在の通信動作モードを変更する工程と、
を備えることを特徴とする方法。
【請求項２】
前記複数の通信動作モードは非コールモードとコールモードを備え、前記コールモードは関連した通信プロトコルおよび周波数帯域の少なくともいずれかを含むこと、
を特徴とする請求項１に記載の方法。
【請求項３】
前記移動端末が、ＧＳＭ８５０／９００ＭＨｚ帯モード、ＧＳＭ１８００／１９００ＭＨｚ帯モード、ＷＣＤＭＡモード、および、ＷｉＦｉを介したＶｏＩＰモードの少なくともいずれかを含む、複数のコールモードを有すること、
を特徴とする請求項１に記載の方法。
【請求項４】
前記ＧＳＭ８５０／９００ＭＨｚ帯域モードがそれに関連したバッテリ電圧閾値Ｖ１を有し、
前記ＧＳＭ１８００／１９００ＭＨｚ帯域モードがそれに関連したバッテリ電圧閾値Ｖ２を有し、
前記ＷＣＤＭＡモードがそれに関連したバッテリ電圧閾値Ｖ３を有し、
前記非コールモードがそれに関連したバッテリ電圧閾値Ｖ４を有すること、
を特徴とする請求項３に記載の方法。
【請求項５】
Ｖ１＞Ｖ２＞Ｖ３＞Ｖ４、であることを特徴とする請求項４に記載の方法。
【請求項６】
Ｖ１が約２．９ボルト、Ｖ２が約２．７ボルト、Ｖ３が約２．５ボルト、Ｖ４が約２．４ボルトであること、
を特徴とする請求項５に記載の方法。
【請求項７】
Ｖ１、Ｖ２およびＶ３が最大送信電力レベルＰ１、Ｐ２およびＰ３にそれぞれ関連しており、
現在の送信電力レベルと前記現在の通信動作モードに関連した前記最大送信電力レベルＰ１、Ｐ２およびＰ３の一つとを比較する工程と、
もし前記現在の送信電力レベルが前記現在の通信動作モードに関連した前記最大送信電力レベルＰ１、Ｐ２およびＰ３のうちの一つより小さいとき、前記現在の通信動作モードに関連した前記バッテリ電圧閾値Ｖ１、Ｖ２およびＶ３のうちの一つを減少させる工程と、
をさらに備えることを特徴とする請求項４に記載の方法。
【請求項８】
前記現在の通信動作モードを前記複数の通信動作モードのその他の一つに変更する工程は、
前記現在の通信動作モードを、前記バッテリの現在の電圧以下の、関連するバッテリ電圧閾値を有する前記複数の通信動作モードの一つに変更する工程、
を含むことを特徴とする請求項４に記載の方法。
【請求項９】
前記現在の通信動作モードを前記複数の通信動作モードのその他の一つに変更する工程は、
バッテリの現在の電圧以下の、関連するバッテリ電圧閾値を有する前記複数の通信動作モードの一つに関連したセルラ・ネットワークのセルに対するハンドオーバが実行できないとの判定に応じて、前記バッテリの現在の電圧より大きな、関連する前記バッテリ電圧閾値を有する前記複数の通信動作モードの一つで前記移動端末を動作させる工程、
を含むことを特徴とする請求項８に記載の方法。
【請求項１０】
前記現在の通信動作モードを前記複数の通信動作モードのその他の一つに変更する工程は、
前記現在の通信動作モードに関連したセルから前記複数の通信動作モードのその他の一つに関連したセルへのハンドオーバを要求するメッセージを、セルラ・ネットワークに送信する工程、
を含むことを特徴とする請求項１に記載の方法。
【請求項１１】
前記現在の通信動作モードを前記複数の通信動作モードのその他の一つに変更する工程は、
現在の通信動作モードに関連したセルから複数の通信動作モードのその他の一つに関連したセルへのハンドオーバをセルラ・ネットワークに開始させる受信信号強度指標（ＲＳＳＩ）値を、前記セルラ・ネットワークに通知する工程、
を含むことを特徴とする請求項１に記載の方法。
【請求項１２】
前記現在の通信動作モードを前記複数の通信動作モードのその他の一つに変更する工程は、
前記現在の通信動作モードに関連したセルから前記複数の通信動作モードのその他の一つに関連したセルへのハンドオーバをセルラ・ネットワークに開始させるために、現在の通信動作モードに関連したセルを除外するハンドオーバ候補のリストを、前記セルラ・ネットワークに対して送信する工程、
を含むことを特徴とする請求項１に記載の方法。
【請求項１３】
前記現在の通信動作モードを前記複数の通信動作モードのその他の一つに変更する工程は、
セルラ・通信動作モードと非セルラ・通信動作モードとの間で変更する工程、
を含む請求項１に記載の方法。
【請求項１４】
前記移動端末のユーザに、前記現在の通信動作モードが前記複数の通信動作モードのその他の一つに変更されることの指示を提供する工程、
をさらに備える請求項１に記載の方法。
【請求項１５】
請求項１に記載の方法を実行するように構成された移動端末。
【請求項１６】
コンピュータプログラム製品であって、
コンピュータで読み取り可能な媒体に実装されたコンピュータで読み取り可能なプログラムコードを含み、前記コンピュータで読み取り可能なプログラムコードは請求項１に記載の方法を実行するよう構成されている、
こと特徴とするコンピュータプログラム製品。
【請求項１７】
複数の通信動作モードを有する移動端末のハンドオーバを実行する方法であって、
前記移動端末と、前記複数の通信動作モードの第１の通信動作モードに関連した第１の基地局トランシーバとの間の通信接続を、前記移動端末に電力を供給するバッテリの現在の電圧に基づいて終了する工程と、
前記移動端末と、前記複数の通信動作モードの第２の通信動作モードに関連した第２の基地局トランシーバとの間の通信接続を、前記移動端末に電力を供給する前記バッテリの現在の電圧に基づいて確立する工程と、
を備えることを特徴とする方法。
【請求項１８】
前記第１の通信動作モードに関連したセルから前記第２の通信動作モードに関連したセルへのハンドオーバを要求するメッセージを、前記第１の基地局トランシーバに関連したセルラ・ネットワークにおいて受信する工程と、
通信接続の終了と、通信接続の確立とを前記メッセージの受信に応じて実行する工程と、
をさらに備えることを特徴とする請求項１７に記載の方法。
【請求項１９】
受信信号強度指標（ＲＳＳＩ）値を、前記第１の基地局トランシーバに関連したセルラ・ネットワークで受信する工程と、
通信接続の終了と、通信接続の確立とが、前記ＲＳＳＩ値の受信に応じて実行する工程と、
をさらに備えることを特徴とする請求項１７に記載の方法。
【請求項２０】
前記第１の通信動作モードに関連したセルを除外するハンドオーバ候補のリストを、前記第１の基地局トランシーバに関連した前記セルラ・ネットワークで受信する工程と、
通信接続の終了と通信接続の確立とを、前記ハンドオーバ候補のリストの受信に応じて実行する工程と、
をさらに備えることを特徴とする請求項１７に記載の方法。
【請求項２１】
前記複数の通信動作モードは非コールモードとコールモードとを含み、
前記コールモードは通信プロトコルおよび周波数帯域の少なくともいずれかを含むこと、
を特徴とする請求項１７に記載の方法。
【請求項２２】
前記移動端末は、ＧＳＭ８５０／９００ＭＨｚ帯モード、ＧＳＭ１８００／１９００ＭＨｚ帯モード、ＷＣＤＭＡモード、および、ＷｉＦｉを介したＶｏＩＰモードのうちの少なくともいずれかを含む、複数のコールモードを有すること、
を特徴とする請求項１７に記載の方法。
【請求項２３】
請求項１７に記載の方法を実行するよう構成されたセルラ・ネットワーク。
【請求項２４】
コンピュータプログラム製品であって、
コンピュータで読み取り可能な媒体に実装されたコンピュータで読み取り可能なプログラムコードを含み、前記コンピュータで読み取り可能なプログラムコードは請求項１７に記載の方法を実行するよう構成された、
ことを特徴とするコンピュータプログラム製品。
【発明の詳細な説明】
【技術分野】
【０００１】
本発明は無線通信技術、そして、さらに言えば、マルチモード移動端末を動作させる方法と関連した移動端末とコンピュータプログラム製品に関連する。
【背景技術】
【０００２】
バッテリ技術は一端末当たりにさらなる容量を提供し続けている。結果として、終止電圧はしばしばこれら新しい型のバッテリにおいてこれまでより低くなっている。移動端末のような電子機器で使用されるとき、これらのバッテリは新しい設計条件を導入する場合がある。多くの移動端末は１．８ボルトまたはより低い電圧で動作するよう作られている。将来において、ほとんどのロジックが１ボルト未満で動作できるようになるかもしれないと期待されている。しかしながら、移動端末において、無線周波数（ＲＦ）電力増幅器は、低い電圧で動作をするための設計には難しいかもしれない。動作電圧が減少し、そして動作電流が増加するような、それがより低いインピーダンスを５０オームに接続するような整合ネットワークの低下する効率は、可能な動作電力を最大出力電力レベルに関連したある値に制限するかもしれない。特定のＲＦ電力増幅器は、多くの従来のバッテリのための最小動作電圧である３．４ボルトで最大の出力電力を供給する。多くのバッテリ技術は約４．２ボルトと２．４ボルトの間で最大のバッテリ容量を供給するだろう。しかしながら、一般的に放電曲線は、放電曲線における比較的大きな停滞領域をしばしば含んだより古いバッテリ技術と比べて、完全に充電された状態から完全に放電された状態により大きな傾斜を示す。
【発明の概要】
【０００３】
本発明のいくつかの実施形態に従って、複数の通信動作モードを有する移動端末は、移動端末の複数の通信動作モードの現在の通信動作モードを決定し、移動端末に供給するバッテリの現在の電圧を決定し、現在の通信動作モードに関連したバッテリ電圧閾値とバッテリの現在の電圧とを比較し、現在の通信動作モードを、現在の通信動作モードに関連したバッテリ電圧閾値とバッテリの現在の電圧の比較に基づいた複数の通信動作モードのうちの一つに変更すること、によって動作する。
【０００４】
その他の実施形態において、複数の通信動作モードは非コールモードとコールモードを備え、そのコールモードは、通信プロトコルおよび周波数帯域の少なくともいずれかに関連したものである。
【０００５】
さらに他の実施形態において、移動端末は、ＧＳＭ８５０／９００ＭＨｚ帯モード、ＧＳＭ１８００／１９００ＭＨｚ帯モード、ＷＣＤＭＡモード、および、ＷｉＦｉを介したＶｏＩＰモードの少なくともいずれかを含む、複数のコールモードを有する。
【０００６】
その他の実施形態において、８５０／９００ＭＨｚ帯モードはそれに関連したバッテリ電圧閾値Ｖ１を有し、ＧＳＭ１８００／１９００ＭＨｚ帯モードはそれに関連したバッテリ電圧閾値Ｖ２を有し、ＷＣＤＭＡモードはそれに関連したバッテリ電圧閾値Ｖ３を有し、非コールモードはそれに関連したバッテリ電圧閾値Ｖ４を有する。
【０００７】
その他の実施形態において、Ｖ１＞Ｖ２＞Ｖ３＞Ｖ４である。
【０００８】
その他の実施形態において、Ｖ１は約２．９ボルトであり、Ｖ２は約２．７ボルトであり、Ｖ３は約２．５Ｖであり、そしてＶ４は２．４ボルトである。
【０００９】
その他の実施形態において、Ｖ１、Ｖ２、およびＶ３は最大送信電力レベルＰ１、Ｐ２、そしてＰ３にそれぞれ関連されている。この手法はさらに、現在の送信電力レベルと現在の通信動作モードに関連した最大送信電力レベルＰ１、Ｐ２、そしてＰ３の一つとを比較すること、と、もし現在の送信電力レベルが現在の通信動作モードに関連した最大送信電力レベルＰ１、Ｐ２、およびＰ３のうちの一つより小さいとき、現在の通信動作モードに関連したバッテリ電圧閾値Ｖ１、Ｖ２、及びＶ３のうちの一つを減少させること、とを含む。
【００１０】
その他の実施形態において、現在の通信動作モードを複数の通信動作モードのその他の一つに変更することは、現在の通信動作モードをバッテリの現在の電圧以下の、関連するバッテリ電圧閾値を持つ複数の通信動作モードの一つに変更することを含む。
【００１１】
その他の実施形態において、現在の通信動作モードを複数の通信動作モードのその他の一つに変更することは、もしバッテリの現在の電圧以下の、関連したバッテリ電圧閾値を持つ複数の通信動作モードの一つに関連したセルラ・ネットワークのセルに対するハンドオーバが実行できなければ、バッテリの現在の電圧より高いそれに関連したバッテリ電圧閾値を持つ複数の通信動作モードの一つで移動端末を動作することを含む。
【００１２】
その他の実施形態において、現在の通信動作モードを複数の通信動作モードのその他の一つに変更することは、現在の通信動作モードに関連したセルから複数の通信動作モードのその他の一つに関連したセルへのハンドオーバを要求するメッセージをセルラ・ネットワークに対して送信することを含む。
【００１３】
その他の実施形態において、現在の通信動作モードを複数の通信動作モードのその他の一つに変更することは、現在の通信動作モードに関連したセルから複数の通信動作モードのその他の一つに関連したセルへのハンドオーバをセルラ・ネットワークに開始させる受信信号強度指標（ＲＳＳＩ）値を、セルラ・ネットワークに通知することを含む。
【００１４】
その他の実施形態において、現在の通信動作モードを複数の通信動作モードの他の一つに変更することは、現在の通信動作モードに関連したセルから複数の通信動作モードのその他の一つに関連したセルへのハンドオーバをセルラ・ネットワークに開始させるために現在の通信動作モードに関連したセルを除外するハンドオーバ候補のリストをセルラ・ネットワークに対して送信することを含む。
【００１５】
その他の実施形態において、現在の通信動作モードを複数の通信動作モードの他の一つに変更することは、セルラ・通信動作モードと非セルラ・通信動作モードとの間で変更すること、を含む。
【００１６】
その他の実施形態において、方法はさらに、移動端末のユーザに対して、現在の通信動作モードが複数の通信動作モードの他の一つに変更することを指示を提供することを含む。
【００１７】
さらなる実施形態において、移動端末は、移動端末の複数の通信動作モードから一つの現在の通信動作モードを決定し、移動端末に電力を供給するバッテリの現在の電圧を決定し、バッテリの現在の電圧と現在の通信動作モードに関連したバッテリ電圧閾値とを比較し、現在の通信動作モードを、バッテリの現在の電圧と現在の通信動作モードに関連したバッテリ電圧閾値との比較に基づいた複数の通信動作モードのその他の一つに変更する、ように構成されている。
【００１８】
その他さらなる実施形態において、コンピュータプログラム製品はコンピュータで読み取り可能な媒体に実装されたコンピュータで読み取り可能なプログラムコードを含む。コンピュータで読み取り可能なプログラムコードは、移動端末の複数の通信動作モードから一つの現在の通信動作モードを決定し、移動端末に電力を供給するバッテリの現在の電圧を決定し、バッテリの現在の電圧と現在の通信動作モードに関連したバッテリ電圧閾値とを比較し、現在の通信動作モードを、バッテリの現在の電圧と現在の通信動作モードに関連したバッテリ電圧閾値との比較に基づいた複数の通信動作モードのその他の一つに変更する、ように構成されている。
【００１９】
本発明のさらなる実施形態において、複数の通信動作モードを備える移動端末のハンドオーバは、移動端末と、移動端末に電力を供給するバッテリの現在の電圧に基づいた複数の通信動作モードの第１の通信動作モードに関連した第１の基地局トランシーバとの間の通信接続を終了し、移動端末と、移動端末に電力を供給するバッテリの現在の電圧に基づいた複数の通信動作モードの第２の通信動作モードに関連した第２の基地局トランシーバとの間の通信接続を確立することによって実行される。
【００２０】
さらなる実施形態において、方法はさらに、第１の通信動作モードに関連したセルから第２の通信動作モードに関連したセルにハンドオーバを要求するメッセージを、第１の基地局トランシーバに関連したセルラ・ネットワークで受信することを含む。通信接続の終了および通信接続の確立は、メッセージを受信することに応じて実行される。
【００２１】
その他さらなる実施形態において、方法はさらに、受信信号強度指標（ＲＳＳＩ）値を第１の基地局トランシーバに関連したセルラ・ネットワークで受信することを含む。通信接続の終了と通信接続の確立とはＲＳＳＩ値の受信に応じて実行される。
【００２２】
その他さらなる実施形態において、方法はさらに、第１の通信動作モードに関連したセルを除外するハンドオーバ候補のリストを、第１の基地局トランシーバに関連したセルラ・ネットワークで受信することを含む。通信接続を終了することと通信接続を確立することはハンドオーバ候補のリストを受信することに応じて実行される。
【００２３】
その他さらなる実施形態において、複数の通信動作モードは非コールモードとコールモードを含み、コールモードは通信プロトコルおよび周波数帯域の少なくともいずれかを含んでいる。
【００２４】
その他さらなる実施形態において、移動端末は複数のコールモードを備え、ＧＳＭ８５０／９００ＭＨｚ帯モード、ＧＳＭ１８００／１９００ＭＨｚ帯モード、ＷＣＤＭＡモード、および、ＷｉＦｉを介したＶｏＩＰモードの少なくともいずれかを含んでいる。
【００２５】
その他の実施形態において、セルラ・ネットワークは、移動端末と、移動端末に電力を供給するバッテリの現在の電圧に基づいた複数の通信動作モードの第１の通信動作モードに関連した第１の基地局トランシーバとの間の通信接続を終了し、移動端末と、移動端末に電力を供給するバッテリの現在の電圧の値に基づいた複数の通信動作モードの第２の基地局トランシーバとの間の通信接続を確立する、ように構成されている。
【００２６】
その他さらなる実施形態において、コンピュータプログラム製品はコンピュータで読み取り可能な媒体に実装されたコンピュータで読み取り可能なプログラムコードを含む。コンピュータで読み取り可能なプログラムコードは、移動端末と、移動端末に電力を供給するバッテリの現在の電圧に基づいた複数の通信動作モードの第１の通信動作モードに関連した第１の基地局トランシーバとの間の通信接続を終了し、移動端末と、移動端末に電力を供給するバッテリの現在の電圧の値に基づいた複数の通信動作モードの第２の基地局トランシーバとの間の通信接続を確立する、ように構成されている。
本発明のその他の特徴は、添付の図面と共に読まれるとき、具体的な実施形態の以下の詳細な説明それについてからさらに容易に理解することができる。
【図面の簡単な説明】
【００２７】
【図１】図１は、本発明のいくつかの実施形態に従って現在のバッテリ電圧に基づいて移動端末の通信動作モードを変更することを示す無線ネットワークの図である。
【図２】本発明のいくつかの実施形態に従って現在のバッテリ電圧に基づいて移動端末の通信動作モードを変更するための動作を示すフローチャートである。
【図３】本発明のいくつかの実施形態に従って現在のバッテリ電圧に基づいて移動端末の通信動作モードを変更するための動作を示すフローチャートである。
【発明を実施するための形態】
【００２８】
本発明は様々な修正や代替的な形式を受け入れる余地がある一方、具体的な実施形態それ自体は図面において例として示され、そしてまたここで詳細な説明として説明する。しかしながら、開示された特定の形式に本発明を制限する意図はないことは理解されるべきであるが、しかし対照的に、本発明は、請求項によって定義されるような本発明の精神と範囲の中に収まるすべての修正したもの、等価的なもの、そして代替的なものを包含するものである。
【００２９】
ここで使用されているように、単数形"ａ"、"ａｎ"そして"the"は、明確に別に述べられていない限り、複数形をも同様に含むことを意図されている。さらに、用語"含む（comprises）"および"含んでいる（comprising）"の少なくともいずれかは本明細書で使用されているとき、定められた特徴、数値、ステップ、動作、要素、および構成部の少なくともいずれかの存在を特定するために用いられるが、しかし、一つまたはより多くのその他の特徴、数値、ステップ、動作、要素、構成部、および、集合の少なくともいずれかの存在や付加を排除するものではない、ということが理解されるべきである。ある要素がその他の要素に"接続されて（connected）"または"結合されて（coupled）"いるとみなされているとき、その他の要素に直接に接続または結合されることもできるし、また、介在要素が存在することもあるということは理解されるだろう。さらにいえば、ここで使われているいるように"接続されて"または"結合されて"は、無線で接続または結合されることを含んでいてもよい。ここで使われているように、用語"および／または"は関連して一覧にされた項目の一つまたはそれ以上のものの任意およびすべての結合を含む。
【００３０】
別に定義されていなければ、すべての用語（技術と科学の用語を含めて）は、ここでは本発明が属している分野の当業者によって通常理解されるような同様の意味を有している。さらに、通常辞書で定義されているような用語は、関連のある技術の文脈におけるそれらの意味と一致する意味を持っていると解釈されるべきであり、そしてここでそのように明確に定義されていない限り、理想的にまたは過度に形式上の意義に解釈されるべきでないことが理解されるであろう。
【００３１】
本発明は、方法、移動端末、および／またはコンピュータプログラム製品として具体化されうる。したがって、本発明はハードウェアおよび／またはソフトウェア（ファームウェア、常駐ソフトウェア、マイクロコード、その他のものを含む）に具体化されうる。さらにいえば、本発明は、命令実行システムに関連して、または、によって使用するための媒体で具体化されたコンピュータで使用可能またはコンピュータで読み取り可能なプログラムコードを備えたコンピュータで使用可能またはコンピュータで読み込み可能な記憶媒体上のコンピュータプログラム製品の形態をとりうる。本文書の文脈において、コンピュータで使用可能なまたはコンピュータで読み取り可能な媒体は、命令実行システム、装置（apparatus）、または機器（device）に関連して、または、によって使用するためのプログラムを含み、保存し、または転送することができる任意の媒体でありうる。
【００３２】
コンピュータで使用可能なまたはコンピュータで読み取り可能な媒体は、たとえば限定するものではないが、電子、磁気、光学、電磁気、赤外線、または半導体のシステム、装置、または機器でありうる。コンピュータで読み取り可能な媒体のより特定の例（限定的なリスト）は、次のものを含んでいる場合もあり、ポータブル・コンピュータ・ディスク、ランダムアクセスメモリ（ＲＡＭ）、リードオンリーメモリ（ＲＯＭ）、消去可能リードオンリーメモリ（ＥＰＲＯＭまたはフラッシュメモリ）、そしてコンパクトディスクリードオンリーメモリ（ＣＤ−ＲＯＭ）である。
【００３３】
ここで使われているように、用語"移動端末"は、衛星や、マルチラインディスプレイ（multi-line display）を備えまたは備えないセルラ・無線電話、データ処理、ファクシミリそしてデータ通信機能を備えたセルラ・無線電話を組み合わせうるパーソナル通信システム（ＰＣＳ）端末、無線電話、ページャ、インターネット／イントラネットアクセス、ウェブブラウザ、オーガナイザ、カレンダーおよび／または全地球測位システム（ＧＰＳ）受信器を含むことができるＰＤＡ、そして、従来のラップトップおよび／またはパームトップ受信器またはその他の無線電話送受信機を含む電化製品、を含みうる。移動端末はまた、広汎性計算装置とも呼ばれる。
【００３４】
移動端末は、例えば、高度移動電話サービス（ＡＭＰＳ）、ＡＮＳＩ−１３６、移動体のための世界標準（ＧＳＭ）通信、汎用パケット無線サービス（ＧＰＲＳ）、ＧＳＭエボリューションのための拡張データレート（ＥＤＧＥ）、統合ディジタル拡張ネットワーク（ｉＤＥＮ）、符号分割多元接続（ＣＤＭＡ）、広帯域ＣＤＭＡ（ＷＣＤＭＡ）、ＣＤＭＡ２０００、および／またはユニバーサル移動体通信システム（ＵＭＴＳ）のような一つまたは複数のセルラ・通信プロトコルを使って基地局トランシーバと通信してもよい。いくつかの移動端末は、"マルチモード"移動端末と呼ばれることがある。なぜなら、一つ以上のセルラ・通信プロトコルを使って通信する能力があるからである。単一のセルラ・通信プロトコルの範囲内で、移動端末が複数周波数帯域を介して送信と受信をする能力をもつ場合がある。例えば、無線端末は、米国（ここではＧＳＭとしても言及されている）で使われているＧＳＭ８５０帯域、欧州（ここではＥＧＳＭとしても言及されている）で使われているＥＧＳＭ９００帯域、欧州（ここではＤＣＳとしても言及されている）で使われているＤＣＳ１８００帯域そして米国（ここではＰＣＳとしても言及されている）で使われているＰＣＳ１９００帯域を介して動作することができることがある。これらの帯域の送信（ＴＸ）および受信（ＲＸ）周波数を表１に示す。
［表１］
2010529712.tif 000003
このように、移動端末に関してここで使われているように、フレーズ"動作モード"はＧＳＭ、ＷＣＤＭＡ、その他で使われている通信プロトコルおよび／または通信のために使われている周波数帯域に関係している。
【００３５】
説明の目的のために、本発明の様々な実施形態が、ＧＳＭ８５０／９００ＭＨｚモード（ＧＳＭ低帯域モード）、ＧＳＭ１８００／１９００ＭＨｚ帯域モード（ＧＳＭ高帯域モード）、そしてＷＣＤＭＡモードで動作することができるマルチモード移動端末に関して、ここで説明されている。本発明は、これらの特定の通信プロトコルおよび／または動作モードに限定されるものではないことは理解されよう。
【００３６】
本発明のいくつかの実施形態は、移動端末の送信回路で使われ、そして異なる動作モードに関連した電力増幅器を異なる電力出力レベルで動作することの実現化に起因する。結果として、これらの電力増幅器は異なる電圧レベルで動作しうる。このように、移動端末に電力を供給するバッテリは時間とともに放電するので、バッテリから提供される現在の電圧レベルに基づいて動作モードを変更することが望まれることがある。これは、特に、より古い技術のバッテリより完全に充電された状態と放電された状態との間で提供される電圧レベルにおいて一般的に急な勾配を持つより新しいバッテリについて有利となる場合がある。
【００３７】
図１に関して、現在のバッテリ電圧に基づいて移動端末の動作モードを変更することを説明する通信システム１００は、本発明のいくつかの実施形態に従って、移動端末１１０とセルラ・ネットワーク１２０のようなワイヤレスネットワークを含む。セルラ・ネットワーク１２０は、同じまたは異なるエンティティによって所有および／または動作されうる一つまたはそれ以上の異なるタイプのセルラ・ネットワークを含んでいてもよい。説明の目的のために、セルラ・ネットワーク１２０はＧＳＭセルラ・ネットワーク１２５とＷＣＤＭＡネットワーク１３０を含む。移動端末１１０はＧＳＭおよび／またはＧＳＭエボリューション（ＥＤＧＥ）通信プロトコルを使って無線通信リンク（すなわちチャネル）１３２を介してＧＳＭセルラ・ネットワーク１２５と通信する。移動端末１１０は、制限するものではないが、ＣＤＭＡ（すなわちＩＳ−９５）、ＷＣＤＭＡ、ＣＤＭＡ２０００、そしてユニバーサル移動体通信システム（ＵＭＴＳ）を含みうるプロトコルを使って無線通信リンク（すなわちチャネル）１３４を介してＷＣＤＭＡセルラ・ネットワーク１３０と通信する。ここで使われているように、用語"通信する"は送信、受信、および／または送信と受信の両方を意味している。二つの塔１４０と１５０が図示されているが、ＧＳＭセルラ・ネットワーク１２５とＣＤＭＡセルラ・ネットワーク１３０は物理的なアンテナ塔を共有していてもよい。
【００３８】
ＧＳＭセルラ・ネットワーク１２５は、無線通信リンク１３２と移動交換局１４４との間で情報を中継する基地局トランシーバ１４０を含んでいてもよい。ＣＤＭＡセルラ・ネットワーク１３０は無線通信リンク１３４と移動交換局１５４との間で情報を中継する基地局トランシーバ１５０を含んでいてもよい。説明の目的のために、ネットワーク１２５と１３０の各一つのみが図示されており、しかしながら、数多くのこのようなネットワークが、地理的に分散された地域やセルを介した無線通信サービスを提供するために使われている場合がある。
【００３９】
移動端末１１０は、本発明のいくつかの実施形態に従って、スピーカ１６０、キーボード／キーパッド１６２、マイクロフォン１６４、ディスプレイ１６６、トランシーバ１６８、そしてプロセッサー１７２と通信するメモリ１７０を含む。図示された移動端末１１０はマルチモード移動端末なので、トランシーバ１６８は、ＧＳＭ低帯域トランシーバ１７４、ＧＳＭ高帯域トランシーバ１７６、そしてＷＣＤＭＡトランシーバ１７８として示されている、複数の送信回路を含んでおり、アンテナ１８０を介して、それぞれ、発信無線周波数信号を基地局トランシーバ１４０と１５０に送信し、そして受信無線周波数信号を基地局トランシーバ１４０と１５０から受信する。移動端末１１０と基地局トランシーバ１４０と１５０との間で送信された無線周波数信号は輻輳と制御の信号（すなわち、受信呼のためのページング信号／メッセージ）の両方を含んでいてもよく、他の加入者や宛先との通信を確立したり維持したりするために使われる。無線周波数信号は、例えば、セルラ・ディジタルパケットデータ（ＣＤＰＤ）情報のような、パケットデータ情報を含んでいてもよい。本発明の様々な実施形態に従って、移動端末１１０は、例えば、移動体のための世界標準（ＧＳＭ）通信、汎用パケット無線サービス（ＧＰＲＳ）、ＧＳＭエボリューションのための拡張データレート（ＥＤＧＥ）、統合ディジタル拡張ネットワーク（ｉＤＥＮ）、符号分割多元接続（ＣＤＭＡ）、広帯域ＣＤＭＡ、ＣＤＭＡ２０００、および／またはユニバーサル移動体通信システム（ＵＭＴＳ）のような一つまたはそれ以上のセルラ・通信プロトコルを使って基地局トランシーバ１４０と１５０と通信をしてもよい。
【００４０】
移動端末１１０の前述の構成要素は、多くの従来の移動端末に備えられていることがあるもので、そしてそれらの従来の機能は一般的に当業者に知られている。従って、本発明の実施形態に関連した動作のみがここでさらに説明される。
【００４１】
プロセッサー１７２はアドレス／データバスを介してメモリ１７０と通信する。例えば、プロセッサ１７２は、大量生産で利用されるまたは特注のマイクロプロセッサであってもよい。メモリ１７０は、移動端末１１０を動作させるために使われるソフトウェアとデータを含んでいる一つまたはそれ以上のメモリ装置の代表である。メモリ１７０は、限定するものではないが、次のタイプの装置、キャッシュ、ＲＯＭ、ＰＲＯＭ、ＥＰＲＯＭ、ＥＥＰＲＯＭ、フラッシュ、ＳＲＡＭ、そしてＤＲＡＭを含んでいてもよい。
【００４２】
図１に示すように、メモリ１７０は、４またはそれ以上の範囲のソフトウェアおよび／またはデータを含んでいてもよく、オペレーティングシステム１８２、バッテリ管理モジュール１８４、動作モード管理モジュール１８６、そしてハンドオーバ管理モジュール１８８である。オペレーティングシステム１８２は、一般的に移動端末１１０の動作を制御する。特に、オペレーティングシステム１８２は、移動端末のソフトウェアおよび／またはハードウェア資源を管理してもよく、そしてプロセッサ１７２によるプログラムの実行を調整してもよい。バッテリ管理モジュール１８４は移動端末１１０に供給するバッテリによって提供される現在の電圧を決定するように構成されていてもよい。上述のように、移動端末で使われているバッテリは、例えば、完全に充電されたとき約４．２ボルトの電圧を提供することがあり、そしてバッテリが放電するとき、約２．４ボルトに至るまでそれでも完全にバッテリ容量を供給することがある。
【００４３】
動作モード管理モジュール１８６は、移動端末１１０で利用可能な様々な種類の動作モードに関連した一つまたは服すの閾値電圧と現在のバッテリ電圧に基づいて、移動端末１１０の動作モードを規定するために構成されていてもよい。図１に示された典型的な実施形態において、移動端末１１０は非コールモードまたはコールモードで構成されていてもよい。コールモードにおいては、ＧＳＭ低帯域モード、ＧＳＭ高帯域モード、および／またはＷＣＤＭＡモードのような、いくつかの利用可能な動作モードがあってもよい。閾値電圧は、各動作モードに関連していてもよい。現在の例では、非コールモードは、約２．４Ｖの閾値電圧に関連しており、ＷＣＤＭＡモードは、約２．５Ｖの閾値電圧に関連しており、ＧＳＭ高帯域モードは、約２．７Ｖの閾値電圧に関連しており、そしてＧＳＭ低帯域モードは、約２．９Ｖの閾値電圧に関連している。一般的に、モード管理モジュール１８６は、移動端末１１０の動作モードを、バッテリの現在の電圧より小さなバッテリ閾値電圧を有するものに変更するよう試みてもよい。動作モード管理モジュール１８６は、ある動作モードからその他への変更を手助けするために、ハンドオーバ管理モジュール１８８と協力してもよい。
【００４４】
図１は、現在のバッテリ電圧に基づいて移動端末の動作モードを変更するために使われうる典型的なソフトウェアとハードウェアのアーキテクチャを図示しているが、本発明はこのような構成に制限されないことが理解されるであろう。しかし、ここで述べた動作を実行する能力のある任意の構成を包含することは意図されている。
【００４５】
図１に関して上で述べられた移動端末および／またはシステムの動作を実行するためのコンピュータ・プログラム・コードは、開発の便利さのために、Ｊａｖａ、Ｃ、および／またはＣ＋＋のような高レベルプログラミング言語で書かれていてもよい。加えて、本発明の実施形態の動作を実行するためのコンピュータ・プログラム・コードは、制限するものではないが、インタープリタ型言語のような、その他のプログラミング言語で書かれていてもよい。いくつかのモジュールまたはルーチンは、パフォーマンスおよび／またはメモリ使用量を拡張するためにアセンブリ言語または同等のマイクロコードで書かれていてよい。任意のまたは全てのプログラムモジュールの機能は、個別のハードウェアコンポーネント、一つまたはそれ以上の特定用途向け集積回路（ＡＳＩＣｓ）、またはプログラムされたディジタル信号プロセッサまたはマイクロコントローラを使って実装されていてもよいことが、さらに好まれている。
【００４６】
本発明は、発明のいくつかの実施形態に関連した方法、移動端末、通信ネットワーク、および／またはコンピュータプログラム製品のフローチャートおよび／またはブロック図に関連して以下で説明される。
【００４７】
これらのフローチャートおよび／またはブロックダイアグラム図はさらに、本発明のいくつかの実施形態に従った、現在のバッテリ電圧に基づいた移動端末の動作モードの変更の典型的な動作を説明している。フローチャートおよび／またはブロックダイアグラム図の各ブロック、およびフローチャートおよび／またはブロックダイアグラム図におけるブロックの組み合わせは、コンピュータプログラム命令および／またはハードウェア動作によって実装されうる。これらのコンピュータプログラム命令は汎用コンピュータのプロセッサ、特定用途のコンピュータ、または機械を動作させるためのその他のプログラム可能なデータ処理装置に対して提供されもよい。このような、コンピュータのプロセッサやその他のプログラム可能なデータ処理装置を介して実行する命令は、フローチャートおよび／またはブロックダイアグラムのブロックまたは複数のブロックにおいて特定された機能を実装する手段を作り出す。
【００４８】
これらのコンピュータプログラム命令は、コンピュータまたは特別な方法で機能するその他のプログラム可能なデータ処理装置に指示しうる、コンピュータで使用可能または読み取り可能なメモリに保存されていてもよい。このような、コンピュータで使用可能またはコンピュータで読み取り可能な目盛りに保存された命令は、フローチャートおよび／またはブロックダイアグラムのブロックまたは複数のブロックにおいて特定された機能を実装する命令を含む製造品を作り出す。
【００４９】
コンピュータプログラム命令は、コンピュータで実装された処理を作り出すためのコンピュータまたはその他のプログラム可能な装置上で実行される動作ステップの過程を引き起こすために、コンピュータまたはその他のプログラム可能なデータ処理装置に読み込まれてもよい。このような、コンピュータまたはその他のプログラム可能な装置で実行する命令は、フローチャートおよび／またはブロックダイアグラムのブロックまたは複数のブロックにおいて特定された機能を実装するステップを作り出す。
【００５０】
図２と共に図１を頻繁に参照して、移動端末の動作モードを変更するための動作は、動作モード管理モジュール１８６が現在の動作モードを決定するブロック２００で始まる。バッテリ管理モジュール１８４はブロック２０５で現在のバッテリ電圧を決定し、そしてブロック２１０で、動作モード管理モジュール１８６は現在のバッテリ電圧と現在の動作モードに関連したバッテリ電圧閾値とを比較する。
【００５１】
本発明のいくつかの実施形態において、様々な動作モードに関連したバッテリ電圧閾値は最大送信電力レベルと関連していてもよい。もし送信機がより低い出力電力レベルで動作していれば、そのとき、その動作モードに関連したバッテリ電圧閾値は減らされる場合もある。これは例で説明されうる。もし移動端末１１０がＧＳＭ低帯域モードで動作していると、＋３３ｄＢｍの最大送信電力レベルを有し、しかしＧＳＭ低帯域送信機が＋２９ｄＢｍで動作しているのならば、そのとき、関連したバッテリ電圧閾値は２．９Ｖから２．７５Ｖに減らされうる。
【００５２】
図２に戻り、ハンドオーバ管理１８８と協働する動作モード管理モジュール１８６は、現在の動作モードに関連したバッテリ閾値電圧と現在のバッテリ電圧との比較に基づいて移動端末１１０の動作モードを変更しうる。例えば、もし移動端末１１０が現在のところＧＳＭ低帯域モードで、そして最大送信電力レベルで動作しているとすると、そのときバッテリ電圧閾値は２．９Ｖである。もし現在のバッテリ電圧が２．８Ｖであれば、そのとき、ハンドオーバ管理１８８と協働する動作モード管理モジュール１８６は、移動端末１１０の動作モードを、２．７Ｖのバッテリ電圧閾値を持つＧＳＭ高帯域モードに変更してよい。
【００５３】
現在のバッテリ電圧に基づいた移動端末の動作モードを変更するさらなる典型的な動作は、図３に関連して述べられることになる。図３のフローチャートはある動作モードからその他にハンドオーバを実行するための動作を説明する。動作は、ハンドオーバ管理モジュール１８８と協働する動作モード管理モジュール１８６が図２のブロック２１５に関して上で議論したような動作モードを変更することを試みるブロック３００で始まる。特に、移動端末１１０と第１の動作モード基地局の間での通信接続は、現在の移動端末１１０バッテリ電圧に基づいて終了される。動作モード変更は本発明の様々な実施形態に関連して異なる方法で開始されることができる。いくつかの実施形態において、ハンドオーバ管理モジュール１８８は、現在の動作モードに関連したセルからその他の動作モードに関連したセルにハンドオーバを要求するメッセージを、セルラ・ネットワークに送信してよい。いくつかのセルラ・ネットワークはこの機能を支持していない場合もあるので、その他の実施形態において、ハンドオーバ管理モジュール１８８は、実際のところよりも大分低い受信信号強度指標（ＲＳＳＩ）値を、セルラ・ネットワークに現在の動作モードに関連したセルからその他の動作モードに関連したセルへのハンドオーバを開始させるためにセルラ・ネットワークへ通知してもよい。さらにその他の実施形態において、ハンドオーバ管理モジュール１８８は、移動端末１１０がセルラ・ネットワークに送信するハンドオーバ候補リストから現在の動作モードに関連したそれらのセルを除外してもよい。これは異なる動作モードに関連したセルに対するハンドオーバの実行をセルラ・ネットワークに引き起こす。
【００５４】
図３を参照して、ブロック３０５で、通信接続は、移動端末１１０と第１の動作モードと異なる第２の動作モードに関連した基地局との間で確立される。
【００５５】
本発明の様々な実施形態は、あるセルラ・プロトコルおよび／または周波数帯域から現在のバッテリ電圧に基づいたその他のものに動作を変更する移動端末に関して上述してきた。しかしながら、本発明のその他の実施形態において、移動端末は、一般的に、非セルラ・通信プロトコルおよび／または周波数帯域を含む、ある通信プロトコルおよび／または周波数帯域から現在のバッテリ電圧に基づいたその他のものに変更しうることは、理解されることだろう。例えば、移動端末は、バッテリ電圧がバッテリ電圧閾値Ｖを下回るまで、セルラ・プロトコルを使用する動作にしうる。そのとき、その移動端末は、上述したように、ＷｉＦｉネットワークを介したボイス・オーバー・インターネット・プロトコル（ＶｏＩＰ）のような、非セルラ・通信プロトコルに切り替えることで動作モードを変更しうる。特定の実施形態において、移動端末は、その他のセルラ・通信プロトコルおよび／または周波数帯域が利用不可能のときに限って、動作モードをＷｉＦｉネットワークを介したＶｏＩＰに切り替えうる。
【００５６】
いくつかの実施形態において、移動端末１１０のユーザは、ユーザが通信範囲、データレート、その他の悪化や変更を予期することができるように、電話が現在のバッテリ電圧に基づいて動作モードを切り替えることを何らかの方法で通知されるようにしてよい。さらにいえば、いくつかの実施形態において、動作モード管理モジュール１８６は、もしハンドオーバ管理モジュール１８８がハンドオーバを、例えば、実行可能なハンドオーバ候補が存在しないから実行することができないとすると、現在のバッテリ電圧より高いものに関連したバッテリ電圧閾値を有する動作モードで電話を動作することを続けるように構成されていてよい。これは、例えば、緊急の状況における使用のためのユーザが選択可能な選択肢としてよい。
【００５７】
多くの変更したものと修正したものは、本発明の原則から実質的に離れることなく、説明された実施形態で作成されることができる。全てのそのような変更したものや修正したものは、続く請求項に記述しているように、本発明の範囲の中でここに含まれるべきであることを意図されている。
【図１】
2010529712.tif 000004
【図２】
2010529712.tif 000005
【図３】
2010529712.tif 000006
【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
複数の通信動作モードを有する移動端末を動作させる方法であって、
前記複数の通信動作モードから現在の通信動作モードを決定する工程と、
前記移動端末に電力供給するバッテリの現在の電圧を決定する工程と、
バッテリの前記現在の電圧と、前記現在の通信動作モードに関連したバッテリ電圧閾値とを比較する工程と、
前記バッテリの現在の電圧と、前記現在の通信動作モードに関連した前記バッテリ電圧閾値との比較に基づいて、前記複数の通信動作モードのその他の一つに、前記現在の通信動作モードを変更する工程と、
を備え、
前記移動端末が、ＧＳＭ８５０／９００ＭＨｚ帯モード、ＧＳＭ１８００／１９００ＭＨｚ帯モード、ＷＣＤＭＡモード、および、ＷｉＦｉを介したＶｏＩＰモードの少なくともいずれかを含む、複数のコールモードを有し、
前記ＧＳＭ８５０／９００ＭＨｚ帯域モードがそれに関連したバッテリ電圧閾値Ｖ１を有し、  前記ＧＳＭ１８００／１９００ＭＨｚ帯域モードがそれに関連したバッテリ電圧閾値Ｖ２を有し、前記ＷＣＤＭＡモードがそれに関連したバッテリ電圧閾値Ｖ３を有し、前記非コールモードがそれに関連したバッテリ電圧閾値Ｖ４を有し、
Ｖ１、Ｖ２およびＶ３が最大送信電力レベルＰ１、Ｐ２およびＰ３にそれぞれ関連しており、
前記方法が、
現在の送信電力レベルと前記現在の通信動作モードに関連した前記最大送信電力レベルＰ１、Ｐ２およびＰ３の一つとを比較する工程と、
もし前記現在の送信電力レベルが前記現在の通信動作モードに関連した前記最大送信電力レベルＰ１、Ｐ２およびＰ３のうちの一つより小さいとき、前記現在の通信動作モードに関連した前記バッテリ電圧閾値Ｖ１、Ｖ２およびＶ３のうちの一つを減少させる工程と、
をさらに備えることを特徴とする方法。
【請求項２】
前記複数の通信動作モードは非コールモードとコールモードを備え、前記コールモードは関連した通信プロトコルおよび周波数帯域の少なくともいずれかを含むこと、
を特徴とする請求項１に記載の方法。
【請求項３】
Ｖ１＞Ｖ２＞Ｖ３＞Ｖ４、であることを特徴とする請求項１に記載の方法。
【請求項４】
Ｖ１が約２．９ボルト、Ｖ２が約２．７ボルト、Ｖ３が約２．５ボルト、Ｖ４が約２．４ボルトであること、
を特徴とする請求項３に記載の方法。
【請求項５】
前記現在の通信動作モードを前記複数の通信動作モードのその他の一つに変更する工程は、
前記現在の通信動作モードを、前記バッテリの現在の電圧以下の、関連するバッテリ電圧閾値を有する前記複数の通信動作モードの一つに変更する工程、
を含むことを特徴とする請求項１に記載の方法。
【請求項６】
前記現在の通信動作モードを前記複数の通信動作モードのその他の一つに変更する工程は、
バッテリの現在の電圧以下の、関連するバッテリ電圧閾値を有する前記複数の通信動作モードの一つに関連したセルラ・ネットワークのセルに対するハンドオーバが実行できないとの判定に応じて、前記バッテリの現在の電圧より大きな、関連する前記バッテリ電圧閾値を有する前記複数の通信動作モードの一つで前記移動端末を動作させる工程、
を含むことを特徴とする請求項５に記載の方法。
【請求項７】
前記現在の通信動作モードを前記複数の通信動作モードのその他の一つに変更する工程は、
前記現在の通信動作モードに関連したセルから前記複数の通信動作モードのその他の一つに関連したセルへのハンドオーバを要求するメッセージを、セルラ・ネットワークに送信する工程、
を含むことを特徴とする請求項１に記載の方法。
【請求項８】
前記現在の通信動作モードを前記複数の通信動作モードのその他の一つに変更する工程は、
現在の通信動作モードに関連したセルから複数の通信動作モードのその他の一つに関連したセルへのハンドオーバをセルラ・ネットワークに開始させる受信信号強度指標（ＲＳＳＩ）値を、前記セルラ・ネットワークに通知する工程、
を含むことを特徴とする請求項１に記載の方法。
【請求項９】
前記現在の通信動作モードを前記複数の通信動作モードのその他の一つに変更する工程は、
前記現在の通信動作モードに関連したセルから前記複数の通信動作モードのその他の一つに関連したセルへのハンドオーバをセルラ・ネットワークに開始させるために、現在の通信動作モードに関連したセルを除外するハンドオーバ候補のリストを、前記セルラ・ネットワークに対して送信する工程、
を含むことを特徴とする請求項１に記載の方法。
【請求項１０】
前記現在の通信動作モードを前記複数の通信動作モードのその他の一つに変更する工程は、
セルラ・通信動作モードと非セルラ・通信動作モードとの間で変更する工程、
を含む請求項１に記載の方法。
【請求項１１】
前記移動端末のユーザに、前記現在の通信動作モードが前記複数の通信動作モードのその他の一つに変更されることの指示を提供する工程、
をさらに備える請求項１に記載の方法。
【請求項１２】
請求項１に記載の方法を実行するように構成された移動端末。
【請求項１３】
コンピュータプログラム製品であって、
コンピュータで読み取り可能な媒体に実装されたコンピュータで読み取り可能なプログラムコードを含み、前記コンピュータで読み取り可能なプログラムコードは請求項１に記載の方法を実行するよう構成されている、
こと特徴とするコンピュータプログラム製品。
【請求項１４】
複数の通信動作モードを有する移動端末のハンドオーバを実行する方法であって、
前記移動端末と、前記複数の通信動作モードの第１の通信動作モードに関連した第１の基地局トランシーバとの間の通信接続を、前記移動端末に電力を供給するバッテリの現在の電圧と、前記現在の通信動作モードに関連したバッテリ電圧閾値との比較に基づいて終了する工程と、
前記移動端末と、前記複数の通信動作モードの第２の通信動作モードに関連した第２の基地局トランシーバとの間の通信接続を、前記移動端末に電力を供給する前記バッテリの現在の電圧と、前記現在の通信動作モードに関連した前記バッテリ電圧閾値との比較に基づいて確立する工程と、
を備え、
前記移動端末が、ＧＳＭ８５０／９００ＭＨｚ帯モード、ＧＳＭ１８００／１９００ＭＨｚ帯モード、ＷＣＤＭＡモード、および、ＷｉＦｉを介したＶｏＩＰモードの少なくともいずれかを含む、複数のコールモードを有し、
前記ＧＳＭ８５０／９００ＭＨｚ帯域モードがそれに関連したバッテリ電圧閾値Ｖ１を有し、  前記ＧＳＭ１８００／１９００ＭＨｚ帯域モードがそれに関連したバッテリ電圧閾値Ｖ２を有し、前記ＷＣＤＭＡモードがそれに関連したバッテリ電圧閾値Ｖ３を有し、前記非コールモードがそれに関連したバッテリ電圧閾値Ｖ４を有し、
Ｖ１、Ｖ２およびＶ３が最大送信電力レベルＰ１、Ｐ２およびＰ３にそれぞれ関連しており、
前記方法が、
現在の送信電力レベルと前記現在の通信動作モードに関連した前記最大送信電力レベルＰ１、Ｐ２およびＰ３の一つとを比較する工程と、
もし前記現在の送信電力レベルが前記現在の通信動作モードに関連した前記最大送信電力レベルＰ１、Ｐ２およびＰ３のうちの一つより小さいとき、前記現在の通信動作モードに関連した前記バッテリ電圧閾値Ｖ１、Ｖ２およびＶ３のうちの一つを減少させる工程と、
をさらに備えることを特徴とする方法。
【請求項１５】
前記第１の通信動作モードに関連したセルから前記第２の通信動作モードに関連したセルへのハンドオーバを要求するメッセージを、前記第１の基地局トランシーバに関連したセルラ・ネットワークにおいて受信する工程と、
通信接続の終了と、通信接続の確立とを前記メッセージの受信に応じて実行する工程と、
をさらに備えることを特徴とする請求項１４に記載の方法。
【請求項１６】
受信信号強度指標（ＲＳＳＩ）値を、前記第１の基地局トランシーバに関連したセルラ・ネットワークで受信する工程と、
通信接続の終了と、通信接続の確立とが、前記ＲＳＳＩ値の受信に応じて実行する工程と、
をさらに備えることを特徴とする請求項１４に記載の方法。
【請求項１７】
前記第１の通信動作モードに関連したセルを除外するハンドオーバ候補のリストを、前記第１の基地局トランシーバに関連した前記セルラ・ネットワークで受信する工程と、
通信接続の終了と通信接続の確立とを、前記ハンドオーバ候補のリストの受信に応じて実行する工程と、
をさらに備えることを特徴とする請求項１４に記載の方法。
【請求項１８】
前記複数の通信動作モードは非コールモードとコールモードとを含み、
前記コールモードは通信プロトコルおよび周波数帯域の少なくともいずれかを含むこと、
を特徴とする請求項１４に記載の方法。
【請求項１９】
請求項１４に記載の方法を実行するよう構成されたセルラ・ネットワーク。
【請求項２０】
コンピュータプログラム製品であって、
コンピュータで読み取り可能な媒体に実装されたコンピュータで読み取り可能なプログラムコードを含み、前記コンピュータで読み取り可能なプログラムコードは請求項１４に記載の方法を実行するよう構成された、
ことを特徴とするコンピュータプログラム製品。
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
複数の通信動作モードを有する移動端末を動作させる方法であって、
前記複数の通信動作モードから現在の通信動作モードを決定する工程と、
前記移動端末に電力供給するバッテリの現在の電圧を決定する工程と、
バッテリの前記現在の電圧と、前記現在の通信動作モードに関連したバッテリ電圧閾値とを比較する工程と、
前記バッテリの現在の電圧と、前記現在の通信動作モードに関連した前記バッテリ電圧閾値との比較に基づいて、前記複数の通信動作モードのその他の一つに、前記現在の通信動作モードを変更する工程と、
を備え、
前記移動端末が、ＧＳＭ８５０／９００ＭＨｚ帯モード、ＧＳＭ１８００／１９００ＭＨｚ帯モード、ＷＣＤＭＡモード、および、ＷｉＦｉを介したＶｏＩＰモードの少なくともいずれかを含む、複数のコールモードを有し、
前記ＧＳＭ８５０／９００ＭＨｚ帯モードがそれに関連したバッテリ電圧閾値Ｖ１を有し、前記ＧＳＭ１８００／１９００ＭＨｚ帯モードがそれに関連したバッテリ電圧閾値Ｖ２を有し、前記ＷＣＤＭＡモードがそれに関連したバッテリ電圧閾値Ｖ３を有し、非コールモードがそれに関連したバッテリ電圧閾値Ｖ４を有し、
Ｖ１、Ｖ２およびＶ３が最大送信電力レベルＰ１、Ｐ２およびＰ３にそれぞれ関連しており、
前記方法が、
現在の送信電力レベルと前記現在の通信動作モードに関連した前記最大送信電力レベルＰ１、Ｐ２およびＰ３の一つとを比較する工程と、
もし前記現在の送信電力レベルが前記現在の通信動作モードに関連した前記最大送信電力レベルＰ１、Ｐ２およびＰ３のうちの一つより小さいとき、前記現在の通信動作モードに関連した前記バッテリ電圧閾値Ｖ１、Ｖ２およびＶ３のうちの一つを減少させる工程と、
をさらに備えることを特徴とする方法。
【請求項２】
前記複数の通信動作モードは非コールモードとコールモードを備え、前記コールモードは関連した通信プロトコルおよび周波数帯域の少なくともいずれかを含むこと、
を特徴とする請求項１に記載の方法。
【請求項３】
Ｖ１＞Ｖ２＞Ｖ３＞Ｖ４、であることを特徴とする請求項１に記載の方法。
【請求項４】
前記現在の通信動作モードを前記複数の通信動作モードのその他の一つに変更する工程は、
前記現在の通信動作モードを、前記バッテリの現在の電圧以下の、関連するバッテリ電圧閾値を有する前記複数の通信動作モードの一つに変更する工程、
を含むことを特徴とする請求項１に記載の方法。
【請求項５】
前記現在の通信動作モードを前記複数の通信動作モードのその他の一つに変更する工程は、
バッテリの現在の電圧以下の、関連するバッテリ電圧閾値を有する前記複数の通信動作モードの一つに関連したセルラ・ネットワークのセルに対するハンドオーバが実行できないとの判定に応じて、前記バッテリの現在の電圧より大きな、関連する前記バッテリ電圧閾値を有する前記複数の通信動作モードの一つで前記移動端末を動作させる工程、
を含むことを特徴とする請求項４に記載の方法。
【請求項６】
前記現在の通信動作モードを前記複数の通信動作モードのその他の一つに変更する工程は、
前記現在の通信動作モードに関連したセルから前記複数の通信動作モードのその他の一つに関連したセルへのハンドオーバを要求するメッセージを、セルラ・ネットワークに送信する工程、
を含むことを特徴とする請求項１に記載の方法。
【請求項７】
前記現在の通信動作モードを前記複数の通信動作モードのその他の一つに変更する工程は、
現在の通信動作モードに関連したセルから複数の通信動作モードのその他の一つに関連したセルへのハンドオーバをセルラ・ネットワークに開始させる受信信号強度指標（ＲＳＳＩ）値を、前記セルラ・ネットワークに通知する工程、
を含むことを特徴とする請求項１に記載の方法。
【請求項８】
前記現在の通信動作モードを前記複数の通信動作モードのその他の一つに変更する工程は、
前記現在の通信動作モードに関連したセルから前記複数の通信動作モードのその他の一つに関連したセルへのハンドオーバをセルラ・ネットワークに開始させるために、現在の通信動作モードに関連したセルを除外するハンドオーバ候補のリストを、前記セルラ・ネットワークに対して送信する工程、
を含むことを特徴とする請求項１に記載の方法。
【請求項９】
前記現在の通信動作モードを前記複数の通信動作モードのその他の一つに変更する工程は、
セルラ・通信動作モードと非セルラ・通信動作モードとの間で変更する工程、
を含む請求項１に記載の方法。
【請求項１０】
前記移動端末のユーザに、前記現在の通信動作モードが前記複数の通信動作モードのその他の一つに変更されることの指示を提供する工程、
をさらに備える請求項１に記載の方法。
【請求項１１】
複数の通信動作モードを有する移動端末のハンドオーバを実行する方法であって、
前記移動端末と、前記複数の通信動作モードの第１の通信動作モードに関連した第１の基地局トランシーバとの間の通信接続を、前記移動端末に電力を供給するバッテリの現在の電圧と、前記現在の通信動作モードに関連したバッテリ電圧閾値との比較に基づいて終了する工程と、
前記移動端末と、前記複数の通信動作モードの第２の通信動作モードに関連した第２の基地局トランシーバとの間の通信接続を、前記移動端末に電力を供給する前記バッテリの現在の電圧と、前記現在の通信動作モードに関連した前記バッテリ電圧閾値との比較に基づいて確立する工程と、
を備え、
前記移動端末が、ＧＳＭ８５０／９００ＭＨｚ帯モード、ＧＳＭ１８００／１９００ＭＨｚ帯モード、ＷＣＤＭＡモード、および、ＷｉＦｉを介したＶｏＩＰモードの少なくともいずれかを含む、複数のコールモードを有し、
前記ＧＳＭ８５０／９００ＭＨｚ帯モードがそれに関連したバッテリ電圧閾値Ｖ１を有し、前記ＧＳＭ１８００／１９００ＭＨｚ帯モードがそれに関連したバッテリ電圧閾値Ｖ２を有し、前記ＷＣＤＭＡモードがそれに関連したバッテリ電圧閾値Ｖ３を有し、非コールモードがそれに関連したバッテリ電圧閾値Ｖ４を有し、
Ｖ１、Ｖ２およびＶ３が最大送信電力レベルＰ１、Ｐ２およびＰ３にそれぞれ関連しており、
前記方法が、
現在の送信電力レベルと前記現在の通信動作モードに関連した前記最大送信電力レベルＰ１、Ｐ２およびＰ３の一つとを比較する工程と、
もし前記現在の送信電力レベルが前記現在の通信動作モードに関連した前記最大送信電力レベルＰ１、Ｐ２およびＰ３のうちの一つより小さいとき、前記現在の通信動作モードに関連した前記バッテリ電圧閾値Ｖ１、Ｖ２およびＶ３のうちの一つを減少させる工程と、
をさらに備えることを特徴とする方法。
【請求項１２】
前記第１の通信動作モードに関連したセルから前記第２の通信動作モードに関連したセルへのハンドオーバを要求するメッセージを、前記第１の基地局トランシーバに関連したセルラ・ネットワークにおいて受信する工程と、
通信接続の終了と、通信接続の確立とを前記メッセージの受信に応じて実行する工程と、
をさらに備えることを特徴とする請求項１１に記載の方法。
【請求項１３】
受信信号強度指標（ＲＳＳＩ）値を、前記第１の基地局トランシーバに関連したセルラ・ネットワークで受信する工程と、
通信接続の終了と、通信接続の確立とが、前記ＲＳＳＩ値の受信に応じて実行する工程と、
をさらに備えることを特徴とする請求項１１に記載の方法。
【請求項１４】
前記第１の通信動作モードに関連したセルを除外するハンドオーバ候補のリストを、前記第１の基地局トランシーバに関連した前記セルラ・ネットワークで受信する工程と、
通信接続の終了と通信接続の確立とを、前記ハンドオーバ候補のリストの受信に応じて実行する工程と、
をさらに備えることを特徴とする請求項１１に記載の方法。
【請求項１５】
前記複数の通信動作モードは非コールモードとコールモードとを含み、
前記コールモードは通信プロトコルおよび周波数帯域の少なくともいずれかを含むこと、
を特徴とする請求項１１に記載の方法。
【国際調査報告】
2010529712.tif 000007
2010529712.tif 000008
2010529712.tif 000009